(57)【要約】【課題】  より多くの意外感、期待感を実現できることができ、また、演出の幅が広がるスロットマシンを提供することを目的とするものである。【解決手段】  複数個のリールと、任意の画像を表示する画像表示手段と、上記画像表示手段と図柄が印刷されているリールテープとを上記複数個のリールのうちの少なくとも１つのリールに固定する固定手段と、上記画像表示手段が固定されているリールを、任意の角度、回動する回動手段とを有することを特徴とするスロットマシンである。【選択図】  図１
2005095269.tif 000002
【特許請求の範囲】
【請求項１】
複数個のリールと；
任意の画像を表示する画像表示手段と；
上記画像表示手段と、図柄が印刷されているリールテープとを、上記複数個のリールのうちの少なくとも１つのリールに固定する固定手段と；
上記画像表示手段が固定されているリールを、任意の角度、回動する回動手段と；
を有することを特徴とするスロットマシン。
【請求項２】
複数個のリールと；
任意の画像を表示する画像表示手段と；
上記画像表示手段を、上記複数個のリールのうちの少なくとも１つのリールの全周に固定する固定手段と；
上記画像表示手段が固定されているリールを、任意の角度、回動する回動手段と；
を有することを特徴とするスロットマシン。
【請求項３】
請求項１または請求項２において、
上記画像表示手段は、曲面を具備し、任意の画像を表示する手段であることを特徴とするスロットマシン。
【請求項４】
請求項１または請求項２において、
上記画像表示手段は、ドットマトリックス、ＬＣＤ、蛍光表示管（ＶＦＤ）、ＥＬのうちの少なくとも１つであることを特徴とするスロットマシン。
【発明の詳細な説明】
【技術分野】
【０００１】
本発明は、スロットマシンに関する。
【背景技術】
【０００２】
最近のスロットマシンには、３つのリールの他に、平板状のドットマトリクスによる表示器が設けられているものがある（たとえば、特許文献１参照）。
【０００３】
図２は、３つのリールの横に、平板状のドットマトリクスによる表示器を設けている従来のスロットマシンＳＭ１１を示す斜視図である。
【０００４】
従来のスロットマシンＳＭ１１は、第１のリールＲ１、第２のリールＲ２、第３のリールＲ３の右に、平板状のドットマトリクスＤＭ１が設置され、中部パネルＴＰ１に収納されている。
【０００５】
リールＲ１、Ｒ２、Ｒ３のそれぞれに貼られているテープに表示されている図柄は、固定的な図柄であるが、上記平板上のドットマトリクスＤＭ１には、上記固定的な図柄とは異なり、所望の種々の図柄を表示することができるという利点がある。
【特許文献１】特開２００１−３５３２５７公報
【発明の開示】
【発明が解決しようとする課題】
【０００６】
一方、スロットマシンにおいて、３つのリールの横に、第４のリールを設け、この第４のリールにリールテープを貼ることが考えられる。
【０００７】
図３は、３つのリールの横に、第４のリールＲ４１を設け、この第４のリールＲ４１にリールテープが貼られているスロットマシンＳＭ１２を示す斜視図である。
【０００８】
スロットマシンＳＭ１２には、第１のリールＲ１、第２のリールＲ２、第３のリールＲ３の他に、第４のリールＲ４１が設けられている。
【０００９】
しかし、スロットマシンＳＭ１２において、第４のリールＲ４１に貼られているリールテープに印刷されている図柄は、変化しないので、より多くの意外感、期待感を実現できることが要求され、また、演出の幅が広がることを要求されている。
【００１０】
本発明は、より多くの意外感、期待感を実現できることができ、また、演出の幅が広がるスロットマシンを提供することを目的とするものである。
【課題を解決するための手段】
【００１１】
本発明は、複数個のリールと、任意の画像を表示する画像表示手段と、上記画像表示手段と図柄が印刷されているリールテープとを上記複数個のリールのうちの少なくとも１つのリールに固定する固定手段と、上記画像表示手段が固定されているリールを、任意の角度、回動する回動手段とを有するスロットマシンである。
【００１２】
また、本発明は、複数個のリールと、任意の画像を表示する画像表示手段と、上記画像表示手段を上記複数個のリールのうちの少なくとも１つのリールの全周に固定する固定手段と、上記画像表示手段が固定されているリールを、任意の角度、回動する回動手段とを有するスロットマシンである。
【発明の効果】
【００１３】
請求項１記載の発明によれば、任意の画像を表示するドットマトリックス等の画像表示手段と図柄が印刷されているリールテープとを、複数個のリールのうちの少なくとも１つのリールに固定し、上記画像表示手段が固定されているリールが、任意の角度、回動するので、より多くの意外感、期待感を実現できることができ、また、演出の幅が広がるという効果を奏する。
【００１４】
請求項２記載の発明によれば、任意の画像を表示するドットマトリックス等の画像表示手段を、複数個のリールのうちの少なくとも１つのリールに固定し、上記画像表示手段が固定されているリールが、任意の角度、回動するので、より多くの意外感、期待感を実現できることができ、また、演出の幅が広がるという効果を奏する。
【発明を実施するための最良の形態】
【００１５】
発明を実施するための最良の形態は、以下の実施例である。
【実施例１】
【００１６】
図１は、本発明の実施例１であるスロットマシンＳＭ１を示す図である。
【００１７】
スロットマシンＳＭ１は、第１のリールＲ１と、第２のリールＲ２と、第３のリールＲ３と、第４のリールＲ４と、ドットマトリックス１０と、表示制御手段３０と、回動手段４０とを有する。
【００１８】
第１のリールＲ１と、第２のリールＲ２と、第３のリールＲ３と、第４のリールＲ４とは、互いに同じリールであるが、リールＲ１、Ｒ２、Ｒ３には、固定の図柄が印刷されているリールテープＴ１、Ｔ２、Ｔ３がそれぞれ貼られ、第４のリールＲ４には、固定の図柄が印刷されているリールテープＴ４に加え、ドットマトリクス１０が固定されている。
【００１９】
ドットマトリックス１０は、曲面を具備し、所望の表示が可能な画像表示手段である。
【００２０】
表示制御手段３０は、ドットマトリックス１０の表示を制御する手段であって、リールＲ１〜Ｒ４以外の位置に設けられている手段である。
【００２１】
回動手段４０は、第４のリールＲ４を任意の角度、回動する手段であり、往復回動する（揺動する）手段である。
【００２２】
次に、上記実施例の動作について説明する。
【００２３】
まず、スロットマシンＳＭ１にコインを投入し、スタートレバーを押すと、第１のリールＲ１、第２のリールＲ２、第３のリールＲ３が回転を開始する。また、上記スタートレバーを押すと同時に、第４のリールＲ４が任意の角度、回動し，任意の角度回動した後に，逆転して回動し、所定角度回動した後に、順転して回動し、また、逆転して回転し、という動作を繰り返す。つまり、第４のリールＲ４が揺動する。
【００２４】
したがって、スロットマシンの窓から、リールＲ４が揺動している様子を見ると、ドットマトリックス１０の全部が見えたり、ドットマトリックス１０が見えずにリールテープＴ４が見えたり、また、ドットマトリックス１０とリールテープＴ４とが同時に見えたりし、リールテープしか見えない従来のスロットマシンと比較すると、より多くの意外感、期待感を実現できることができる。また、上記実施例は、演出の幅が広がるという利点がある。
【００２５】
上記実施例は、リールＲ１〜Ｒ３の右に、第４のリールが設けられているが、リールＲ１〜Ｒ３の左に、第４のリールを設けるようにしてもよく、また、第１のリールＲ１と第２のリールＲ２との間に第４のリールを設けるようにしてもよく、さらには、第２のリールＲ２と第３のリールＲ３との間に第４のリールＲ４を設けるようにしてもよい。
【００２６】
この他、リールを５本以上設け，そのうちの１本または複数本のリールに、ドットマトリックス１０を固定するようにしてもよい。また、１つのリールに、２つ以上のドットマトリックスを搭載するようにしてもよい。
【００２７】
なお、ドットマトリックス１０の代わりに、ＬＣＤ、蛍光表示管（ＶＦＤ）、ＥＬ等の画像表示手段のうちの少なくとも１つを使用するようにしてもよい。
【００２８】
つまり、上記実施例は、複数個のリールと、任意の画像を表示する画像表示手段と、上記画像表示手段と図柄が印刷されているリールテープとを上記複数個のリールの少なくとも１つのリールに固定する固定手段と、上記画像表示手段が固定されているリールを、任意の角度、回動する回動手段とを有するスロットマシンの例である。
【００２９】
また、リールの全周に、上記画像表示手段を固定するようにしてもよい。つまり、複数個のリールと、任意の画像を表示する画像表示手段と、上記画像表示手段を、上記複数個のリールの少なくとも１つのリールの全周に固定する固定手段と、上記画像表示手段が固定されているリールを、任意の角度、回動する回動手段とを有するスロットマシンであってもよい。
【００３０】
上記の場合、上記画像表示手段は、曲面を具備し、任意の画像を表示する手段である。
【図面の簡単な説明】
【００３１】
【図１】本発明の実施例１であるスロットマシンＳＭ１を示す図である。
【図２】３つのリールの横に、平板状のドットマトリクスによる表示器を設けている従来のスロットマシンＳＭ１１を示す斜視図である。
【図３】３つのリールの横に、第４のリールを設け、この第４のリールにリールテープが貼られているスロットマシンＳＭ１２を示す斜視図である。
【符号の説明】
【００３２】
ＳＭ１…スロットマシン、
Ｒ１…第１のリール、
Ｒ２…第２のリール、
Ｒ３…第３のリール、
Ｒ４…第４のリール、
１０…ドットマトリクス、
３０…表示制御手段、
４０…回動手段。
【図１】
2005095269.tif 000003
【図２】
2005095269.tif 000004
【図３】
2005095269.tif 000005